(57)【要約】【課題】養魚池や浮上槽における仔魚床において、仔魚が酸素を取得しやすい緩やかで多様な方向の流れを形成できる。【解決手段】仔魚床敷設材１は、側部全体に通水孔２Ａが形成されている筒状外周部材２と、筒状外周部材２Ａ内に配置され、筒状外周部材２Ａの延長方向に沿って延設される内部延設部材３とを備え、内部延設部材３は、複数の異なる方向に対面した水流方向変更面３Ａを有する。【選択図】図１
2011055767.tif 000002
【特許請求の範囲】
【請求項１】
回遊魚の人工増殖において仔魚管理に用いられる仔魚床敷設材であって、
側部全体に通水孔が形成されている筒状外周部材と、該筒状外周部材内に配置され、該筒状外周部材の延長方向に沿って延設される内部延設部材とを備え、
前記内部延設部材は、複数の異なる方向に対面した水流方向変更面を有することを特徴とする仔魚床敷設材。
【請求項２】
前記内部延設部材は、前記水流方向変更面が連続的なねじれ面によって形成されていることを特徴とする請求項１に記載された仔魚床敷設材。
【請求項３】
前記内部延設部材は、前記水流方向変更面が傾斜角度の異なる複数の面によって形成されていることを特徴とする請求項１に記載された仔魚床敷設材。
【請求項４】
前記内部延設部材は、前記水流方向変更面を穴あき状にしたことを特徴とする請求項１〜３のいずれかに記載された仔魚床敷設材。
【請求項５】
前記内部延設部材は、板状部材によって形成されていることを特徴とする請求項１〜４のいずれかに記載された仔魚床敷設材。
【請求項６】
前記内部延設部材は、網状部材によって形成されていることを特徴とする請求項１〜４のいずれかに記載された仔魚床敷設材。
【請求項７】
前記筒状外周部材は、延長軸に垂直な断面の外周形状が略円形又は楕円形状であることを特徴とする請求項１〜６のいずれかに記載された仔魚床敷設材。
【請求項８】
前記筒状外周部材は、延長軸に垂直な断面の外周形状が多角形状であることを特徴とする請求項１〜６のいずれかに記載された仔魚床敷設材。
【請求項９】
請求項１〜８のいずれかに記載された仔魚床敷設材で仔魚床を形成した養魚池。
【請求項１０】
請求項１〜８のいずれかに記載された仔魚床敷設材で仔魚床を形成した浮上槽。
【発明の詳細な説明】
【技術分野】
【０００１】
本発明は、サケ・マス類等の回遊魚の人工増殖における仔魚管理に用いられる仔魚床敷設材に関するものである。
【背景技術】
【０００２】
サケ・マス類等の回遊魚の人工増殖では、ふ化した仔魚の管理は養魚池や浮上槽を用いて行うのが一般的である。「仔魚」とは、ふ化したばかりで「さいのう」と呼ばれる栄養分を貯めた袋を持った生育段階の魚を指す。仔魚は、餌をとらず、さいのう内の養分だけで成長する。その後、餌が取れるまでに育った生育段階を仔魚と区別して「稚魚」と呼んでいる。
【０００３】
養魚池や浮上槽では、水中に仔魚床（仔魚が収まる空間）を形成して、仔魚が動き回って余計な栄養分を消費しない環境を整えてやる必要がある。仔魚は流れの少ない箇所に身を隠す習性があるので、養魚池や浮上槽の仔魚床では、人工的に仔魚が身を隠すための敷設材を配備している。養魚池では底面に小砂利を敷いて仔魚床とするのが一般的であり、浮上槽ではネットリングと呼ばれる網状の円筒部材を重ねて敷いて仔魚床とするのが一般的である。
【０００４】
また、下記特許文献１には、合成樹脂，セラミックス又は金属等で形成されるふ化育成用敷設体（成形体）を養魚池の底に多数個ランダムに敷くことで、仔魚の安息場所となる陰になった相互に連通する小空間を形成すること等が記載されている。
【先行技術文献】
【特許文献】
【０００５】
【特許文献１】実開平５−６２号公報
【発明の概要】
【発明が解決しようとする課題】
【０００６】
仔魚の成長にとっては十分な酸素の摂取が不可欠である。養魚池や浮上槽で仔魚に十分な酸素を与えるためには、仔魚床においても緩やかな水の流れが確保されることが必要になる。養魚池の底に小砂利や成形体を敷いて形成される従来の仔魚床では、水の流れが生じ難い養魚池の底面に近いところに止まった仔魚は酸欠を起こし易く、仔魚の成長にばらつきが生じやすい問題があった。また、養魚池内では水の流れが単調であるから、良好な条件が揃ったところに仔魚が集中して酸素摂取の競争を起こすことになり、競争に敗れた仔魚は良好な成長が得られない問題があった。
【０００７】
一方、浮上槽に用いられるネットリングでは、仔魚は流れの上流側に頭を向けて酸素を取り入れようとするので、酸素を求めて流れのより上流側に仔魚が集まる傾向にあり、浮上槽内の全ての仔魚に均等に酸素取得の機会が与えられず、仔魚が酸欠を引き起こしやすい問題がった。また、底から上に向けた上昇流を形成する浮上槽では、酸素取得のために仔魚は垂直方向に逆さ立ちした姿勢を取ることになるので、不自然な姿勢を維持した仔魚が酸素の取得しやすい箇所に集中することになり、このような状態が仔魚の成長に悪影響を及ぼす懸念があった。
【０００８】
本発明は、このような問題を解決するために提案されてものであって、養魚池や浮上槽における仔魚床において、仔魚が酸素を取得しやすい緩やかな流れをランダムに形成して、養魚池内或いは浮上槽内の全ての仔魚に均等に酸素取得の機会を与えることができること、養魚池内或いは浮上槽内で効果的に仔魚を分散させ、仔魚の成長に適する環境を仔魚床全体で整えることができること、上昇流を形成する浮上槽に適用した場合にも、縦の単調な流れではなく左右に向けたランダムな水の流れを形成し、仔魚が集中して不自然な姿勢を取ることを回避すること、等が本発明の目的である。
【課題を解決するための手段】
【０００９】
このような目的を達成するために、本発明による仔魚床敷設材は、以下の構成を少なくとも具備するものである。
【００１０】
回遊魚の人工増殖において仔魚管理に用いられる仔魚床敷設材であって、側部全体に通水孔が形成されている筒状外周部材と、該筒状外周部材内に配置され、該筒状外周部材の延長方向に沿って延設される内部延設部材とを備え、前記内部延設部材は、複数の異なる方向に対面した水流方向変更面を有することを特徴とする仔魚床敷設材。
【発明の効果】
【００１１】
このような特徴を有する本発明の実施形態に係る仔魚床敷設材は、筒状外周部材の側部全体に形成されている通水孔を通って水の流れが確保されるので、仔魚床全体に酸素を摂取しやすい緩やかな水の流れを生じさせ、仔魚床内の何処に居る仔魚に対しても十分に酸素を供給することができる。また、筒状外周部材の内部に延設される内部延設部材は、複数の異なる方向に対面した水流方向変更面を有するので、筒状外周部材の内部に侵入した水の流れ方向を様々な方向に変更することができ、筒状外周部材内に位置する仔魚に均等に酸素取得の機会を与えることができる。
【００１２】
仔魚床全体で酸素取得条件の良いところを分散配置できるので、仔魚が一箇所に集中する不具合が無く、良好な環境で仔魚を成長させることができる。仔魚床内での水の流れを多様化することで、天然の川底に近い条件を整えることができ、自然環境に近い条件で健全な仔魚の成長を促すことができる。
【００１３】
底から上に向けた上昇流を形成する浮上槽に適用した場合には、縦の単調な流れではなく左右に向けたランダムな水の流れを形成し、仔魚が集中して不自然な姿勢を取ることを回避することができる。これによって、このような浮上槽の仔魚床に止まる仔魚の姿勢を自然な姿勢に維持させることができ、これによっても、自然環境に近い条件で健全な仔魚の成長を促すことができる。
【図面の簡単な説明】
【００１４】
【図１】本発明の一実施形態に係る仔魚床敷設材を説明する説明図である（図１（ａ）が平面図、図１（ｂ）が仔魚床敷設材の構成要素を説明する説明図）。
【図２】本発明の一実施形態に係る仔魚床敷設材を説明する説明図である（図１（ａ）における各部断面図）。
【図３】本発明の実施形態に係る仔魚床敷設材を浮上槽内に配備した例を示した説明図（同図（ａ）が平面図、同図（ｂ）が縦断面図）。
【図４】本発明の実施形態に係る仔魚床敷設材を養魚池内に配備した例を示した説明図（同図（ａ）が平面図、同図（ｂ）が縦断面図）。
【図５】本発明の実施形態に係る仔魚床敷設材の変形例を示した説明図である。
【図６】本発明の実施形態に係る仔魚床敷設材の変形例を示した説明図である。
【図７】本発明の実施形態に係る仔魚床敷設材の変形例を示した説明図である。
【発明を実施するための形態】
【００１５】
以下、図面を参照しながら本発明の実施形態を説明する。図１及び図２は本発明の一実施形態に係る仔魚床敷設材を説明する説明図である（図１（ａ）が平面図、図１（ｂ）が仔魚床敷設材の構成要素を説明する説明図、図２が図１（ａ）における各部断面図）を示している。
【００１６】
仔魚床敷設材１は、サケ・マス類などの回遊魚の人工増殖において、仔魚管理に用いられる養魚池や浮上槽等で仔魚床を形成する部材である。この仔魚床敷設材１は、筒状外周部材２と内部延設部材３によって形成されており、単体の部材を平面的又は立体的に複数整列配置して仔魚床を形成する。
【００１７】
筒状外周部材２は、側部全体に通水孔２Ａが形成された外形が筒状の部材である。通水孔２Ａの形状は特に限定されないが図示の例では菱形形状を有している。また、図示の例では螺旋状の線状部材を所定間隔で結合することで通水孔２Ａを側部に形成した筒状の部材を形成しているが、これに限らず、側部を板状にして打ち抜き孔（パンチ孔）などで通水孔２Ａを形成したものであってもよい。
【００１８】
内部延設部材３は、筒状外周部材２内に配置され、筒状外周部材２の延長方向に沿って延設される部材である。そして、この内部延設部材３は、複数の異なる方向に対面した水流方向変更面３Ａを有した板状部材によって形成されている。図示の例では、水流方向変更面３Ａは連続的なねじれ面によって形成されているが、その形態は後述する各種の形態に変形可能である。
【００１９】
内部延設部材３は、図２に示すように、筒状外周部材２の内部で方向を様々に変えた水流方向変更面３Ａを形成する。図示の例では、Ｘ１−Ｘ１断面からＸ５−Ｘ５断面に至るまで、４５度ずつ角度を変えた面が形成されている。また、この実施形態では、筒状外周部材２の延長軸に垂直な断面の外周形状が略円形又は楕円形状になっている。
【００２０】
このような実施形態に係る仔魚床敷設材１では、筒状外周部材２の通水孔２Ａからその内部に水が流れ込み、内部延設部材３の水流方向変更面３Ａによって流れ込んだ水の流れ方向が変更される。これによって、筒状外周部材２内に潜む仔魚にとって、様々な方向の水流が形成され、しかもその流れは通水孔２Ａを通過して水流方向変更面３Ａに当たることによって適度な流速に緩められる。これによって、仔魚床内で分散配置された仔魚に対して、均等に酸素取得ができる環境が与えられる。また、筒状外周部材２内で様々な方向に流れる適度に緩やか水流を形成することができるので、筒状外周部材２内に潜む仔魚にとって天然の河川の底に居るような自然な環境を与えることができる。これによって、自然環境に近い条件で健全な仔魚の成長を促すことができる。
【００２１】
図３（同図（ａ）が平面図、同図（ｂ）が縦断面図）は、このような仔魚床敷設材１を浮上槽１０内に配備した例を示している。浮上槽１０は、水槽１１が給水室１１Ａ，ふ化室１１Ｂ，排水室１１Ｃの３室に分けられ、各室は、給水側仕切り板１２と排水側仕切り板１３によって区分けされている。ふ化用水Ｗを給水室１１Ａに連続的に供給することで、水槽１１の底部に近い開口部１４を通してふ化室１１Ｂ内を用水で満たし、さらに給水を続けることで、排水側仕切り板１３を越えた用水が排水室１１Ｃに流れ込む。開口部１４を水槽１１の底部近くに形成していることで、ふ化室１１Ｂ内には底部から上に向けた上昇流が形成されることになる。
【００２２】
ふ化室１１Ｂ内には下部に下網１５が設けられ、その下網１５上に前述した仔魚床敷設材１が立体的且つ平面的に並べて配置されている。更に、仔魚床敷設材１上にはふ化盆１６が配置され、そのふ化盆１６上に受精卵が配置される。ふ化盆１６上の受精卵がふ化して生まれた仔魚は、ふ化盆１６の孔から下に落下し、仔魚床敷設材１の内部で仔魚期を過ごすことになる。
【００２３】
このような浮上槽１０では、ふ化室１１Ｂを流れる用水の上昇流は、筒状外周部材２の内部に入り込むと内部延設部材３の水流方向変更面３Ａによって様々な方向に流れを変えることになる。これによって、仔魚床敷設材１内に落下した仔魚がどのような位置に居ても同等の水の流れを受けることができるので、仔魚が仔魚床敷設材１の下層に集中する事態を解消することができる。また、水流方向変更面３Ａによって変更された水流方向はその一部が水平方向の流れを形成するので、仔魚床敷設材１内の仔魚は敢えて下向きの姿勢を維持する必要が無くなり、自然な姿勢を維持して水流を受けながら酸素取得を行うことができる。
【００２４】
図４は、（同図（ａ）が平面図、同図（ｂ）が縦断面図）は、このような仔魚床敷設材１を養魚池２０内に配備した例を示している。養魚池２０は、給水壁２１で仕切られた上流側に給水部２０Ａが形成されており、給水壁２１で仕切られた下流側に仔魚育成部２０Ｂが形成されている。給水部２０Ａに連続的に供給される用水は、給水壁２１を越えて仔魚育成部２０Ｂに入り、仔魚育成部２０Ｂの下流側の排水壁２２を越えて外部に排水される。
【００２５】
このような養魚池２０の底面に並べて仔魚床敷設材１が配備される。仔魚育成部２０Ｂを下流に向かって流れる水が筒状外周部材２の内部に入り込むと内部延設部材３の水流方向変更面３Ａによって様々な方向に流れを変えることになる。これによって、仔魚床敷設材１内に止まる仔魚がどのような位置に居ても同等の水の流れを受けることができる。また、仔魚育成部２０Ｂを単純に流れる水の流れは、内部延設部材３の水流方向変更面３Ａによって様々な方向に変えられるので、天然の川底に近い様々な方向の緩やかな流れが養魚池２０内で実現されることになる。これによって、仔魚床敷設材１内部に分散して潜む仔魚に対して満遍なく酸素を行き渡らせることができ、仔魚は天然の河川での育成環境に近い状態で健康的に成長することができる。
【００２６】
図５〜図７は、本発明の実施形態に係る仔魚床敷設材１の変形例を示している。図５は、筒状外周部材２の延長軸に垂直な断面の外周形状が略円形又は楕円形以外の例を示しており、同図（ａ）に示すように外形断面が四角形状、同図（ｂ）に示すように外形断面が三角形状、同図（ｃ）に示すように外形断面が５〜８角形状であってもよい（図示は六角形状）。
【００２７】
図６は、筒状外周部材２の変形例であり、同図（ａ）は側面部が線状部材を網目状に配置して通水孔２Ａを形成した例、同図（ｂ）は側面部の通水孔部２Ａの形状を四角状にした例、同図（ｃ）は側面部の通水孔部２Ａの形状を多角形状（図示では六角形状）にした例をそれぞれ示している。通水孔２Ａの形状によっても筒状外周部材２内の水の流れは変わるので、この形状を様々に変えることで多様な水の流れを形成することができる。また、一つの筒状外周部材２で様々な形状の通水孔２Ａを組み合わせて形成しても良い。
【００２８】
図７は、内部延設部材３の変形例である。同図（ａ）は、図１の例において、水流方向変更面３Ａを穴あき状にした例である。同図（ｂ）は、図１の例において、水流方向変更面３Ａを網目状部材で形成した例である。同図（ｃ）は、水流方向変更面３Ａが傾斜角度の異なる複数の面によって形成されている例である。同図（ｄ）は、同図（ｃ）において水流方向変更面３Ａを穴あき状にした例である。同図（ｅ）は、同図（ｃ）において水流方向変更面３Ａを網目状部材で形成した例である。水流方向変更面３Ａを穴あき状にすること、或いは水流方向変更面３Ａを網目状部材で形成することで、水流方向変更面３Ａを通過する水流と方向変換される水流が複雑に絡み合い、より多様性の高い水の流れを形成することができる。
【００２９】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。また、上述の各実施の形態は、その目的及び構成等に特に矛盾や問題がない限り、互いの技術を流用して組み合わせることが可能である。
【符号の説明】
【００３０】
１：仔魚床敷設材
２：筒状外周部材
２Ａ：通水孔
３：内部延設部材
３Ａ：水流方向変更面
【図１】
2011055767.tif 000003
【図２】
2011055767.tif 000004
【図３】
2011055767.tif 000005
【図４】
2011055767.tif 000006
【図５】
2011055767.tif 000007
【図６】
2011055767.tif 000008
【図７】
2011055767.tif 000009